(57)【要約】【課題】スタンバイ電源無しで外部機器によって電源がオン／オフされる電源回路および電源システムを提供する。【解決手段】電源プラグ１０とメイントランス１６との間に一次リレー１３（リレー接点１３Ａ）を挿入する。この一次リレー１３をオンするための電力は外部入力端子１５を介して外部の機器から供給される。これにより、この電源回路は、スタンバイ用のサブトランス、制御部等の構成が不要になり大幅な簡素化が可能になるとともに、親機からの電力供給によって電源がオンされるためスタンバイ電力が不要になる。【選択図】  図２
2010088192.tif 000002
【特許請求の範囲】
【請求項１】
リレー接点が電源と負荷回路との間に挿入されている電源リレーと、
前記電源リレーのリレーコイルの駆動電力を外部から入力するための外部電源入力端子と、
を備えた電源回路。
【請求項２】
前記リレー接点に直列に主電源スイッチを設けるとともに、前記リレー接点に並列にモード切換スイッチを設けたことを特徴とする請求項１に記載の電源回路。
【請求項３】
電源スイッチと、
外部電源出力端子と、
前記電源スイッチのオンにより電源が供給され、電源リレーの駆動電力を発生し外部電源出力端子に入力する外部電源供給回路と、
常時電源が供給されており、外部機器から電源オンコマンドを受信したとき、前記電源スイッチをオンする制御部と、
を備えた電源回路を親機の電源回路とし、
請求項１または請求項２に記載の電源回路を子機の電源回路とし、
前記親機の電源回路の外部電源出力端子と、前記子機の電源回路の外部電源入力端子とを電気的に接続した電源システム。
【請求項４】
前記親機の電源回路の電源スイッチは、メイントランスの一次側をオン／オフするスイッチであり、該メイントランスの二次側に、前記制御部および負荷回路が接続されている請求項３に記載の電源システム。
【発明の詳細な説明】
【技術分野】
【０００１】
この発明は、外部機器による制御で電源がオン／オフされる電源回路および電源システムに関する。
【背景技術】
【０００２】
従来の電源回路を図１（Ａ）、（Ｂ）に示す。同図（Ａ）は最も古典的な回路構成である。この電源回路は電源プラグ１１０と電源トランス（メイントランス）１１３との間に電源スイッチ１１２を有する構成であり、電源スイッチ１１３の手動操作によって電源トランス１１３の一次側への電源供給がオン／オフされる。
【０００３】
一方、同図（Ｂ）は、特許文献１等に記載の構成であり、赤外線リモコン等の外部機器により電源をオン／オフできる構成を備えたものである。電源プラグ１２０とメイントランス１２６との間には電源リレー１２３のリレー接点（ＮＯ接点）１２３Ａが挿入されている。外部機器による操作で電源をオン／オフするためのスタンバイ回路としてサブトランス１２４、制御部１２５、リレー１２３を有している。サブトランスは直接電源プラグ１２０に接続されており、電源プラグ１２０がコンセントに差し込まれているとき常時通電している。したがってサブトランス１２４の二次側に接続されている制御部１２５は常時動作しており、赤外線リモコン装置などの外部機器からのコマンドを受信できる状態になっている。制御部１２５は、外部機器から電源オンのコマンドを受信すると、リレー１２３のリレーコイル１２３Ｂに電流を流し、リレー接点１２３Ａをオンする。これにより、メイントランス１２６に電流が流れ、メイントランス１２６の二次側に接続されている負荷回路が動作する。
【０００４】
【特許文献１】特開２０００−１９７２６８号公報
【発明の開示】
【発明が解決しようとする課題】
【０００５】
しかし、上記図１（Ａ）の電源回路を内蔵した機器は、外部機器による電源オン／オフができないため、所望のときに機器を使用したい場合には電源スイッチ１１２を入れたままにしておかなければならず、電力の消費が膨大である。また、上記図１（Ｂ）の電源回路も、サブトランス１２４によって制御部１２５が常時オンしているためいわゆるスタンバイ電力を消費するという問題点があり、また、このスタンバイ回路としてサブトランス１２４、電源リレー１２３、制御部１２５等が余計に必要になるという問題点があった。
【０００６】
この発明は、スタンバイ電源無しで外部機器によって電源がオン／オフされる電源回路および電源システムを提供することを目的とする。
【課題を解決するための手段】
【０００７】
請求項１の発明は、リレー接点が電源と負荷回路との間に挿入されている電源リレーと、前記電源リレーのリレーコイルの駆動電力を外部から入力するための外部電源入力端子と、を備えたことを特徴とする。
【０００８】
本発明のリレー接点はＮＯ接点である。したがって、リレーコイルが通電したとき、接点がオンし、負荷回路に電源が供給される。リレーコイルを駆動する電力は外部電源入力端子を介して外部から供給される。したがって、この電源回路にはスタンバイ回路が不要であり、回路構成を簡略化できるとともに、スタンバイ電力を０にすることが可能になる。
【０００９】
請求項２の発明は、上記発明において、前記リレー接点に直列に主電源スイッチを設けるとともに、前記リレー接点に並列にモード切換スイッチを設けたことを特徴とする。
【００１０】
本発明は、他の機器の電源回路すなわちリレー駆動電流を供給してくれる電源回路と組み合わせて用いることが前提であるが、主電源スイッチ、モード切換スイッチを設けることにより、この電源回路（を用いた機器）を単独で使用できるようにした。すなわち、リレー接点と並列に設けられたモード切換スイッチをオンすることにより、主電源スイッチのオン／オフによって負荷回路に対する電源供給のオン／オフが可能になる。一方、モード切換スイッチをオフし、主電源スイッチをオンすることにより、電源リレーのオン／オフによって負荷回路に対する電源供給をオン／オフする本来のモードの動作が行われる。
【００１１】
請求項３の発明は、電源スイッチと、外部電源出力端子と、前記電源スイッチのオンにより電源が供給され、電源リレーの駆動電力を発生し外部電源出力端子に入力する外部電源供給回路と、常時電源が供給されており、外部機器から電源オンコマンドを受信したとき、前記電源スイッチをオンする制御部と、を備えた電源回路を親機の電源回路とし、請求項１または請求項２に記載の電源回路を子機の電源回路とし、前記親機の電源回路の外部電源出力端子と、前記子機の電源回路の外部電源入力端子とを電気的に接続したことを特徴とする。
【００１２】
親機の電源回路は、外部機器からの電源オンコマンドにより外部電源供給回路をオンし、この外部電源供給回路が子機の電源回路の電源リレーを駆動する電力を供給する。これにより、複数の電源回路を赤外線リモコン等の外部機器の操作でオンさせる場合、１台の親機の電源回路のみスタンバイ回路を備えていればよく、他の（子機の）電源回路は親機から供給される電力で電源リレーがオンされるため、スタンバイ電力が不要になるとともに、回路構成が簡略化される。
【００１３】
請求項４の発明は、上記発明において、前記親機の電源回路の電源スイッチは、メイントランスの一次側をオン／オフするスイッチであり、該メイントランスの二次側に、前記制御部および負荷回路が接続されていることを特徴とする。
【００１４】
親機は、専ら子機の電源リレーをオンするための装置であってもよいが、独自の負荷回路を有する機器、たとえばコンポーネントの一部を構成する機器であってもよい。
【発明の効果】
【００１５】
この発明によれば、負荷回路に電源を供給する電源リレーが外部電源入力端子を介して外部から供給される電力によって駆動される。これによりスタンバイ回路が不要になり回路構成を簡略化できるとともに、スタンバイ電力を０にすることが可能になる。
【発明を実施するための最良の形態】
【００１６】
図面を参照してこの発明の実施形態について説明する。
図２はこの発明の実施形態である電源回路を示す図である。この電源回路は、たとえばオーディオアンプ、ＦＭチューナ、ＤＶＤプレーヤなど他の機器と組み合わせて使用されるいわゆるコンポーネントの電子機器に内蔵される電源回路である。
【００１７】
電源回路は、電源コンセントから商用電源を取り込むプラグ１０を備えている。プラグ１０の一方（ホット側）はヒューズ１１、主電源スイッチ１２、一次リレー１３（リレー接点１３Ａ）を介してメイントランス１６に接続されている。プラグ１０の他方（接地側）はメイントランス１６に直接接続されている。また、一次リレー１３に並列にモード切換スイッチ１４が接続されている。
【００１８】
一次リレーは、リレー接点１３Ａおよびリレーコイル１３Ｂからなっている。リレー接点１３Ａは常開接点であり、リレーコイル１３Ｂに電流が流れないときオフ（開）しており、リレーコイル１３Ｂに電流が流れたときのみオン（閉）する。リレーコイル１３Ｂは、外部入力端子１５に接続されている。すなわち、外部から供給される電力でリレー１３が駆動される。
【００１９】
上述したように、この電源回路を内蔵する電子機器は、他の電子機器と組み合わせて使用される。組み合わされる電子機器のうち少なくとも１台が図３に示すようなリレー駆動電力の出力機能を備えた機器（親機）であり、この親機が出力するリレー駆動電力を外部入力端子１５から取り込んで一次リレー１３を駆動する。
【００２０】
これにより、この電源回路１は、スタンバイ用のサブトランス、制御部が不要になり、大幅な簡素化が可能になるとともに、親機からの電力供給によって電源がオンされるためスタンバイ電力が不要になる。
【００２１】
なお、主電源スイッチ１２は、電子機器の前面パネルに設けられたスイッチであり、ユーザが手動操作で電子機器の電源をオン／オフするために設けられたスイッチである。一方、一次リレー１３（リレー接点１３Ａ）と並列に挿入されているモード切換スイッチ１４は、電子機器の背面パネルに設けられたスイッチであり、この電子機器が親機となる他の電子機器と組み合わせて使用されるか単独で使用されるかを係員が設定するためのスイッチである。
【００２２】
すなわち、親機となる他の電子機器と組み合わせて使用される場合には、モード切換スイッチ１４がオフ、主電源スイッチ１２がオンの状態で、一次リレー１３のオン／オフによってメイントランス１６に対する電源供給がオン／オフされるようにする。一方、この電子機器が単独で使用される場合には、一次リレー１３がオンしないため、モード切換スイッチ１４がオンの状態で、主電源スイッチ１２を手動でオン／オフすることにより、メインとトランス１６に対する電源供給をオン／オフする。
【００２３】
図３は、親機となる電子機器の電源回路を示す図である。親機の電源回路２は、一般のスタンバイ機能を有する電子機器と同様にサブトランス２３および制御部２４を有している。
【００２４】
電源回路は、電源コンセントから商用電源を取り込むプラグ２０を備えている。プラグ２０の一方（ホット側）はヒューズ２１、一次リレー２２（リレー接点２２Ａ）を介してメイントランス２５に接続されるとともに、ヒューズ２１を介してサブトランス２３に接続されている。また、プラグ２０の他方（接地側）はメイントランス２５およびサブトランス２３に直接接続されている。したがって、サブトランス２３は常に商用電源に接続されており、メイントランス２５は一次リレー２２がオンしたとき商用電源に接続される。
【００２５】
サブトランス２３の二次側には制御部２４が接続されている。サブトランス２３には常時商用電源が供給されているため、制御部２４は常時動作している。制御部２４には一次リレー２２のリレーコイル２２Ｂが接続されている。また、制御部２４はリモコン受光部等を有し、リモコンから電源オンのコマンドを受信したときリレーコイル２２Ｂに電流を流して一次リレー２２をオンする。これにより、メイントランス２５に商用電源が供給され、メイントランス２５の二次側に接続されている負荷回路と外部機器制御部２６がオンする。
【００２６】
外部機器制御部２６は、メイントランス２５から供給される電力を用いて他の電子機器の電源回路の一次リレーをオンする電圧を発生する。外部機器制御部２６には外部出力端子２７が接続されており、外部機器制御部２６が発生したリレーオン電圧は、この外部出力端子２７を介して他の電子機器に入力される。
【００２７】
図４は、図２に示した電源回路を内蔵した電子機器（子機Ｃ）および図３に示した電源回路を内蔵した電子機器（親機Ｓ）を接続した電子機器システムの例を示す図である。
【００２８】
親機Ｓは、リモコン操作等に対応して自装置の電源をオンするとともに、外部出力端子２７からリレーオン電圧を出力する。このリレーオン電圧は、ケーブルを介して子機Ｃの外部入力端子１５に入力される。子機Ｃにおいては、この電圧が一次リレー１３のリレーコイル１３Ｂに供給され、リレー接点１３Ａが閉成する。これにより、子機Ｃもオンし、システム全体が電源オンして動作を開始する。
【００２９】
また、電源オフ時も同様である。リモコン操作等に対応して親機Ｓが自装置の電源をオフすることにより、リレーオン電圧もオフする。これによって、子機Ｃの一次リレー１３がオフして子機Ｃの電源もオフする。
【００３０】
なお、親機Ｓはたとえばコントロールアンプ等の独立した機能を有する電子機器であってよいが、専ら子機Ｃの電源をオン／オフすることに特化した電源制御装置として構成してもよい。
【００３１】
なお、図４には、親機Ｓが１台に２台の子機Ｃが接続される形態を示しているが、子機Ｃの台数は２台に限定されない。また、この電源回路が内蔵される電子機器は、オーディオシステムを構成する装置に限定されない。
【図面の簡単な説明】
【００３２】
【図１】従来の電源回路の例を示す図
【図２】この発明の第１の実施形態の電源回路の構成を示す図
【図３】前記電源回路を有する電子機器をオン／オフする親機の電源回路の構成を示す図
【図４】上記実施形態の電源回路を内蔵した電子機器を含むシステムの構成を示す図
【符号の説明】
【００３３】
Ｓ…親機
Ｃ…子機
１…（子機の）電源回路
２…（親機の）電源回路
【図１】
2010088192.tif 000003
【図２】
2010088192.tif 000004
【図３】
2010088192.tif 000005
【図４】
2010088192.tif 000006